(57)【特許請求の範囲】
【請求項１】
工場で外壁下地パネルを建物ユニットの骨格に取り付けて外壁下地パネルを備えた建物ユニットを製造し、施工現場で、この外壁下地パネルを備えた建物ユニットを据え付け、外壁下地パネルから室外方向に若干離れた位置に外壁支持桟を立設した後、この外壁支持桟の室外側面に外壁材を取り付けることを特徴とする外壁施工方法。
【請求項２】
工場で外壁下地パネルを建物ユニットの骨格に取り付け、この外壁下地パネルから室外方向に若干離れた位置に外壁支持桟を、外壁下地パネルからの距離を変更可能に、立設させて外壁下地パネルと外壁支持桟を備えた建物ユニットを製造し、施工現場で、この外壁下地パネルと外壁支持桟を備えた建物ユニットを据え付けた後、この外壁支持桟の室外側面に外壁材を取り付けることを特徴とする外壁施工方法。
【発明の詳細な説明】
【０００１】
【発明の属する技術分野】
本発明は外壁施工方法に関する。
【０００２】
【従来の技術】
建物の外壁構造としては種々あるが、特公平６−８９５７０号公報に記載されている外壁下地パネルを建物に取り付け、この外壁下地パネルの複数の外壁支持桟（公報では外装下地桟と称する）の室外側面に外壁材を掛け渡して取り付けた外壁構造が複数の外壁支持桟の間に上下に長い筒状の空気層が形成され、この空気層を空気が流通することにより、外壁内部の湿気を屋外側に放出させることができので、外壁内に結露の発生がなく好ましい外壁構造である。
【０００３】
この特公平６−８９５７０号公報に記載されている外壁下地パネルを更に詳細に説明すると、外壁下地パネルは、枠材内に断熱材を充填して形成される断熱層と、この断熱層の室内側に取り付けられた内装下地材と、断熱層と内装下地材との間に介在させた湿気が通過不能な防湿シートと、断熱層の室外側に配された湿気が通過可能な防水シートと、前記空気層の形成用であって上記防水シートの室外側に取り付けられた上下方向に長い複数の外壁支持桟とからなるものである。
そして、この複数の外壁支持桟に外壁材を掛け渡して取り付けると、防水シート、両側の外壁支持桟、外壁材で囲まれた上下に長い筒状の空気層が形成されるのである。
【０００４】
【発明が解決しようとする課題】
この外壁下地パネルの外装下地桟の室外側面に外壁材を取り付けた外壁構造の各構成要素を、室内側から順に並べると、内装下地材、防湿シート、内部に断熱材を充填している枠材、防水シート、外壁支持桟、外壁材となり、全て固体で繋がっている。従って、一旦、製造されるとこの外壁下地パネルの厚みは変更できない。
【０００５】
しかし、内装下地材、内部に断熱材を充填している枠材、外壁支持桟等は寸法精度がそれほど良くないので、これ等を重合した外壁下地パネルを複数個並べて比較すると、多くの外壁下地パネルの厚みが異なっている場合が多い。
従って、この複数の外壁下地パネルを並べて取り付けると、外壁下地パネルの室内側面と室外側面のどちらかの面が凹凸状になり不都合が生じる。
即ち、枠材の室内側面をほぼ同一平面状にして外壁下地パネルを取り付けると、外壁下地桟の室外側面がほぼ同一平面状にならず、この外壁支持桟の室外側面に外壁材を取り付けたときに、この外壁材の室外側面が凹凸状になり、極めて醜悪である。
【０００６】
又、外壁支持桟の室外側面をほぼ同一平面状にして外壁下地パネルを取り付けると、内部に断熱材を充填している枠材の室内側面がほぼ同一平面状にならず、この枠材の室内側面に壁紙等の内壁仕上げ材や石膏ボード等の内壁材を取り付けると、この内壁仕上げ材や内壁材の室内側面が凹凸状になり、極めて醜悪である。
更に、ユニット建物では、このユニット建物を構成する建物ユニットを据え付ける際に誤差があったり、各建物ユニットに取り付けた外壁下地パネルの位置に差があったりして外壁支持桟の室外側面がほぼ同一平面状にならないことがある。
【０００７】
又、１階と２階の境界に胴差を設けた構造では次に示す問題がある。
即ち、１階と２階の境界に胴差を設けた構造では、通常、図１４のように外装下地パネルＰ１の室外側面に取り付けた外壁支持桟Ｐ１１の屋外側面はほぼ同一平面状になっていて、この外壁支持桟Ｐ１１の室外側面に外壁材Ｐ２を取り付けた外壁材Ｐ２はほぼ同一平面状になっている。
【０００８】
しかし、種々な理由でこの外壁支持桟Ｐ１１の室外側面がほぼ同一平面状にならないことがある。例えば、１階と２階の外壁支持桟Ｐ１１の厚みが異なっていて、図１５（イ）に示すように、外壁支持桟Ｐ１１の室外側面が同一平面状にならなかったり、１階と２階の間に取り付けられる胴差Ｐ１２の両側側面がほぼ平行になってなくて、図１５（ロ）に示すように、室外側面Ｐ１２１が傾いていたり、胴差Ｐ１２が傾いて取り付けられて、図１５（ハ）に示すように、室外側面Ｐ１２１が傾いていると、この室外側面Ｐ１２１に取り付けられた外装支持桟Ｐ１１の室外側面に段差が生じる。かかる場合に、この外壁支持桟Ｐ１１の室外側面に外壁材Ｐ２を取り付けと、外壁材Ｐ２が段差の部分で傾き醜悪となる。
【０００９】
そこで、本発明の目的は、外壁下地パネル等の外壁材を取り付ける桟の厚みに誤差があっても、又、１階と２階の間に両側がほぼ平行になってない胴差が取り付けられたり、胴差が斜めに取り付けられていても、更に、ユニット建物では、ユニット建物を構成する建物ユニットの据え付けに誤差があったり、ユニット建物に取り付ける外壁下地ユニットの取付位置に差があっても、外壁下地パネルの室内側面と外壁材の室外側面をほぼ同一平面状にすることのできる外壁構造と、この外壁構造に施工する外壁施工方法を提供することである。
【００１５】
【課題を解決するための手段】
請求項１記載の発明は、工場で外壁下地パネルを建物ユニットの骨格に取り付けて外壁下地パネルを備えた建物ユニットを製造し、施工現場で、この外壁下地パネルを備えた建物ユニットを据え付け、外壁下地パネルから室外方向に若干離れた位置に外壁支持桟を立設した後、この外壁支持桟の室外側面に外壁材を取り付けるものである。
【００１６】
この請求項１記載の発明においては、外壁支持桟の室外側面に外壁材を取り付けているが、この外壁材を取り付ける前に隣接する外壁下地パネルを備えた建物ユニットの透湿防水シートを連結すると、この建物ユニット間の隙間を通過して雨水等の水分が室内に入らなくなり好ましい。
【００１７】
請求項２記載の発明は、工場で外壁下地パネルを建物ユニットの骨格に取り付け、この外壁下地パネルから室外方向に若干離れた位置に外壁支持桟を、外壁下地パネルからの距離を変更可能に、立設させて外壁下地パネルと外壁支持桟を備えた建物ユニットを製造し、施工現場で、この外壁下地パネルと外壁支持桟を備えた建物ユニットを据え付けた後、この外壁支持桟の室外側面に外壁材を取り付けるものである。
【００２６】
請求項１記載の発明では、工場で外壁下地パネルを建物ユニットの骨格に取り付けて外壁下地パネルを備えた建物ユニットを製造し、施工現場で、この外壁下地パネルを備えた建物ユニットを据え付け、外壁下地パネルから室外方向に若干離れた位置に外壁支持桟を立設した後、この外壁支持桟の室外側面に外壁材を取り付けるので、外壁下地パネルの厚みが異なったり、建物ユニットの設置位置がずれたり、建物ユニットに取り付ける外壁下地パネルの据付位置に差があったりして、外壁下地パネルの室外側面がほぼ同一平面状になってなくとも、外壁下地パネルから室外方向に若干離れた位置に複数の外壁支持桟を、室外側面をほぼ同一平面状にして立設させることができる。従って、外壁材の室外側面をほぼ同一平面状にして、外壁支持桟を取り付けることができ、ユニット建物を美麗に施工できる。
【００２７】
請求項２記載の発明では、工場で外壁下地パネルを建物ユニットの骨格に取り付け、この外壁下地パネルから室外方向に若干離れた位置に外壁支持桟を、外壁下地パネルからの距離を変更可能に立設させて外壁下地パネルと外壁支持桟を備えた建物ユニットを製造し、施工現場で、この外壁下地パネルと外壁支持桟を備えた建物ユニットを据え付けた後、この外壁支持桟の室外側面に外壁材を取り付けるので、請求項１記載の発明より外壁支持桟を工場で取り付けただけ現場施工工数が少なくなり、速く施工できる。
【００２８】
又、複数の建物ユニットに取り付けられた外壁下地パネルの厚みが異なったり、建物ユニットの設置位置がずれたり、建物ユニットに取り付ける外壁下地パネルの取付位置に差があったりして、それぞれの建物ユニットの外壁下地パネルの室外側面がほぼ同一平面状になってなくとも、外壁下地パネルからの距離を変更可能に取り付けられている外壁支持桟の外壁下地パネルからの距離を変更して、外壁支持桟の室外側面をほぼ同一平面状にした後、外壁支持桟を立設させることができる。従って、この外壁支持桟の室外側面に外壁材をほぼ同一平面状にして取り付けることができ、複数個の建物ユニットを組み立てたユニット建物を美麗に施工できる。
【００３０】
【発明の実施の形態】
次に、本発明の実施の形態を実施例で説明する。
（参考例）
図１〜図３は本発明の参考例を示すもので、図１は建物の外壁部分の垂直断面図、図２は外壁下地パネルを示す一部切欠斜視図、図３は外壁支持桟に外壁材を取り付けた大型パネルの裏面を示す斜視図である。
【００３１】
図１において、１は建物であり、この建物１の骨格は、基礎９の上に取り付けられた床梁１１と、この床梁１１に立設された図示しない１階の柱と、床梁１１に差し渡された床小梁１３と、１階の柱の上に取り付けられた胴差１４と、この胴差１４に立設された図示しない２階の柱と、胴差１４に差し渡された２階の床梁１６と、２階の柱の上に取り付けられた胴差１７と、この胴差１７の上に取り付けられた屋根１９とからなる。
【００３２】
そして、床小梁１３の上に床材２が取り付けられて１階の床が形成されている。
又、胴差１４に差し渡された床梁１６に床根太２５が差し渡され、この床根太２５の上に床材２６が取り付けられて２階の床が形成されている。又、この床には図示しない天井パネルが吊り下げられ、この天井パネルによって１階の天井が形成されている。
又、胴差１７に図示しない屋根梁や屋根小梁等の構造材が取り付けられ、この屋根梁や屋根小梁等の構造材に図示しない天井パネルが吊り下げられて、２階の天井が形成されている。
【００３３】
４は外壁下地パネルであり、この外壁下地パネル４は、図２に示すように、内装下地材４１と、透湿防水シート支持桟４２と、断熱材４３と、透湿防水シート４４と、透湿防水シート押さえ桟４５とからなる。
内装下地材４１は石膏ボードである。
透湿防水シート支持桟４２は木製の断面四角柱状長尺体である。
【００３４】
断熱材４３は板状のガラスウールである。
透湿防水シート４４は高密度ポリエチレンの極細繊維シート製のシートであり、湿気を通すが水を通さないものである。
透湿防水シート押さえ桟４５は合板製の四角柱状長尺体である。
【００３５】
５は合板製の四角柱状長尺体の外壁支持桟であり、この外壁支持桟５は、図１に示すように、１階から２階まで貫通している。そして、この外壁支持桟５には、床梁１１、胴差１４、１７に取り付けられている固定金具２９を挿入する切欠溝５９が設けられている。
【００３６】
８は硬質木片セメント板製の外壁材である。
そして、施工現場で、この外壁材８に外壁支持桟５を取り付けて大型パネルＲとし、この大型パネルＲは、予め、胴差１４、１７や床梁１１に取り付けられている固定金具５９を外壁支持桟５に設けられている切欠溝５９の中に挿入して取り付けられている。
【００３７】
次に、この建物の施工方法および外壁構造の作用について説明する。
工場で外壁下地パネル４や天井パネル等を製造する。
この際の外壁下地パネル４の製造方法を説明する。
【００３８】
内装下地材４１の室外側面に複数の透湿防水シート支持桟４２をほぼ平行に取り付け、この複数の透湿防水シート支持桟４２の間に断熱材４３を取り付け、この透湿防水シート支持桟４２ａ断熱材４３の室外側を透湿防水シート４４で覆い、この透湿防水シート４４の上の透湿防水シート支持桟４２の反対側面に透湿防水シート押さえ桟４５を押し付け、ビス４５３ａを透湿防水シート押さえ桟４５から透湿防水シート支持桟４２に螺入して、透湿防水シート押さえ桟４５で、透湿防水シート４４を透湿防水シート支持材４２に押さえ付けて、外壁下地パネル４を製造する。
【００３９】
このように、外壁下地パネル４を設備の整った工場で製造するので、この外壁下地パネル４は寸法精度よく仕上げられ、建物に取り付け易くなっている。
このようにして製造した外壁下地パネル４、天井パネル等を施工現場に運搬する。
施工現場では、予め設けられている基礎９の上に床梁１１を取り付け、この床梁１１に１階の柱を立設し、相対する床梁１１に床根太１３を差し渡して取り付け、この１階の柱の上に胴差１４を取り付け、相対する胴差１４に床梁１６を差し渡して取り付け、この床梁１６に２階の柱を立設し、２階の柱の上に胴差１７を取り付けて、建物１の骨格を形成する。
【００４０】
床根太１３の上に床材２を取り付けたり、１階の柱と柱の間に外壁下地パネル４を取り付けたり、この外壁下地パネル４の室内側に壁紙等の内壁仕上げ材３を取り付け、後述の２階の床に天井パネルを取り付けたり、各種仕上げを行って１階を形成する。
【００４１】
又、床梁１６に床根太２５を差し渡し、この床根太２５の上に床材２６を取り付けて床を形成したり、２階の柱と柱の間に外壁下地パネル４を取り付けたり、この外壁下地パネル４の室内側面に壁紙等の内壁仕上げ材３を取り付け、後述の屋根１９の下方に天井パネルを吊り下げたり、各種仕上げを行って２階を形成する。
又、胴差１７に屋根１９を設ける。
又、地上で予め外壁材８に外壁支持桟５を取り付けて大型パネルＲとする。
【００４２】
そして、床梁１１、胴差１４、１７に固定金具２９を取り付け、この大型パネルＲの切欠溝５９の中に固定金具２９を挿入して、大型パネルＲをこの固定金具２９に引っ掛けて外壁材８を取り付ける。
このように、大型パネルＲを固定金具２９に取り付けると、この大型パネルＲと外壁下地パネル４との間に隙間が生じ、この隙間が空気層Ｓとなる。
その他種々な仕上げを行うと建物１が完成する。
【００４３】
このようにして完成した建物１では、外壁下地パネル４とこの外壁下地パネル４から離れた位置にある外壁支持桟５や外壁材８との間には空気層Ｓが形成されるので、外壁下地パネル４の厚みに差があるときに、複数の外壁下地パネル４の室内側面をほぼ同一平面状にして取り付ける結果、外壁下地パネル４の室外側面が凹凸状になっていても、離れた位置にある外壁支持桟５の室外側面をほぼ同一平面状にして、外壁支持桟５を取り付けることができる。即ち、外壁下地パネル４と外壁支持桟５や外壁材８との間にある空気層Ｓの厚みを加減することにより、外壁下地パネル４の室内側面と外壁支持桟５の室外側面を同時にほぼ同一平面状にすることができる。
【００４４】
又、外壁支持桟５が１階から２階まで貫通しているので、１階と２階の外壁下地パネル４の厚みに差があったり、１階と２階の間に取り付けられる胴差１４の両側面がほぼ平行でなかったり、胴差１４が傾いていても、外壁下地パネル４や胴差１４から室外方向に若干離れた位置に設けられている外壁支持桟５は、この外壁下地パネル４や胴差１４に関係ない。従って、この外壁支持桟５の室外側面をほぼ同一平面状にして、外壁支持桟５を取り付けることができる。
【００４５】
このように、外壁下地パネル４の室内側面と外壁支持桟５の室外側面とを同時にほぼ同一平面状にすることができるので、この外壁下地パネル４と外壁支持桟５に内壁仕上げ材３と外壁材６を同時に同一平面状に取り付けることができ、美麗な建物に施工できる。
又、透湿防水シート４４は複数の透湿防水シート支持桟４２と透湿防水シート押さえ桟４５に挟まれているので、断熱材４３の室外側に外れないよう取り付けられている。
【００４６】
従って、外壁材８の隙間を通して水滴等の水分が浸入しても、透湿防水シート４４に阻まれて室内側に浸入しないし、断熱材４３が濡れて断熱性能が低下しないし、室内に水分が入らない。
又、室内の湿気や外壁内の湿気は透湿防水シート４４を通って空気層Ｓに入り、この空気層Ｓを流れる空気と共に室外に出て行く。従って、この外壁構造を備えた建物１は、室内が湿らないし壁内に結露が発生しなく居住性がよい。
【００４７】
（実施例１）
図４〜図１０は本発明をユニット建物に適用した実施例を示すもので、図４（イ）はユニット建物を示す斜視図、（ロ）は（イ）のＡ−Ａ線における断面図、図５は建物ユニットを示す一部切欠斜視図、図６（イ）は外壁下地パネルを示す斜視図、（ロ）は透湿防水シートを取り付けている状態の主要部を示す斜視図、図７は外壁下地パネルを備えたユニット建物を示す斜視図、図８は外壁下地パネルに外壁支持桟を取り付けている状態を示す斜視図、図９は外壁支持桟の取付構造を示す断面図、図１０は受け台を示す斜視図である。
【００４８】
図４〜図１０において、Ｕａはユニット建物であり、このユニット建物Ｕａは、逗４（イ）に示すように、基礎９ａの上に６個の建物ユニット１ａを据え付けて１階を形成し、この１階の建物ユニット１ａの上に６個の建物ユニット１ａを据え付けて２階を形成し、この２階の建物ユニットの上に屋根パネル２ａを取り付けたものである。
【００４９】
建物ユニット１ａの骨格は、図５に示すように、矩形状の隅部に立設された鋼製の断面ロ字形長尺体の柱１１ａと、この柱１１ａの下端部を矩形状の辺に沿って連結した鋼製の断面コ字形長尺体の床梁１２ａと、柱１１ａの上端部を矩形状の辺に沿って連結した鋼製の断面コ字形長尺体の天井梁１３ａとからなる。
そして、相対する床梁１２ａ、１２ａに鋼製の断面ロ字形長尺体の床小梁１４ａが差し渡され、この床小梁１４ａの上に木製の床根太１５ａが取り付けられ、この床根太１５ａの上に床材１６ａが取り付けられて床が形成され、相対する天井梁１３ａ、１３ａに木製の天井野縁１７ａが差し渡され、この天井野縁１７ａの下面に天井材１８ａが取り付けられて天井が形成されている。
【００５０】
４ａは外壁下地パネルであり、この外壁下地パネル４ａは、図６に示すように、内装下地材４１ａと、透湿防水シート支持桟４２ａと、断熱材４３ａと、透湿防水シート４４ａと、透湿防水シート押さえ桟４５ａとからなる。
内装下地材４１ａは石膏ボードである。
透湿防水シート支持桟４２ａは鋼製の断面コ字形長尺体である。
【００５１】
断熱材４３ａは岩綿の板状体である。
透湿防水シート４４ａは高密度ポリエチレンの極細繊維シート製のシートであり、湿気を通すが水を通さないものである。
透湿防水シート押さえ桟４５ａは、長尺ゴムシート板４５１ａと鋼製の断面コ字形長尺体４５２ａとからなる。
【００５２】
５ａは鋼製の断面ロ字形長尺体の外壁支持桟であり、上端部と下端部には、図８に示すように、後述のネジ棒６ａが通過する大きさの通孔５１ａが設けられている。
６ａはネジ棒であり、このネジ棒６ａは、図８に示すように、床梁１２ａと天井梁１３ａの側面にほぼ水平に立設されている。
【００５３】
７ａは受け台であり、この受け台６ａは図１０に示すように、周囲にキザギザの凹凸が設けられ、中央にネジ棒６ａに螺合するネジ孔７１ａを有する鋼製の円盤である。
７５ａはネジ棒６ａに螺合するナットである。
７６ａは座金である。
８ａは硬質木片セメント板製の外壁材である。
【００５４】
次に、このユニット建物Ｕａの施工方法および外壁構造の作用について説明する。
工場で、建物ユニット１ａの骨格を製造する。
この際、外壁下地パネル４ａを取り付ける天井梁１３ａと床梁１２ａの側面には、ネジ棒６ａを溶接してほぼ水平方向に立設させておく。
【００５５】
この建物ユニット１ａの相対する床梁１２ａ、１２ａに床小梁１４ａを差し渡し、この床小梁１４ａの上に床根太１５ａを取り付け、この床根太１５ａの上に床材１６ａを取り付けられて床を形成する。
又、建物ユニット１ａの相対する天井梁１３ａ、１３ａに天井野縁１７ａを差し渡し、この天井野縁１７ａの下面に天井材１８ａを取り付けて天井を形成する。
【００５６】
一方、内装下地材４１ａの室外側面に複数の透湿防水シート支持桟４２ａをほぼ平行に取り付け、この複数の透湿防水シート支持桟４２ａの間に断熱材４３ａを取り付け、この透湿防水シート支持桟４２ａと断熱材４３ａの室外側を透湿防水シート４４ａで覆い、図６（ロ）に示すように、この透湿防水シート４４ａの上の透湿防水シート支持桟４２ａの反対側面に長尺ゴムシート板４５１ａと断面コ字形長尺体４５２ａを押し付け、ビス４５３ａを断面コ字形長尺体４５２ａから透湿防水シート支持桟４２ａに螺入して、断面コ字形長尺体４５２ａと断面コ字形長尺体４５２ａとからなる透湿防水シート押さえ桟４５ａで、透湿防水シート４４ａを透湿防水シート支持材４２ａに押さえた状態に取り付けて、外壁下地パネル４ａを製造する。
【００５７】
このように、外壁下地パネル４ａを設備の整った工場で製造するので、この外壁下地パネル４ａは寸法精度よく仕上げられ、建物に取り付け易くなっている。次に、図８に示すように、建物ユニット１ａの天井梁１３ａの室外側面および下側面に断熱材７８ａを取り付け、床梁１２ａの室外側面および上側面に断熱材７９ａを取り付け、天井梁１３ａの下側面の断熱材７８ａと床梁の上側面に取り付けられた断熱材７９ａの間に内装下地材４１ａと透湿防水シート支持桟４２ａを挿入するようにして外壁下地パネル４ａを建物ユニット１ａの骨格に取り付け、外壁下地パネル４ａの室内側面に内装仕上げ材３ａを取り付けたり、種々な仕上げを行うと、外壁下地パネル４ａを備えた建物ユニット１ａが完成する。
【００５８】
尚、透湿防水シート４４ａを取り付ける際には、天井梁１３ａと床梁１２ａに取り付けられているネジ棒６ａが透湿防水シート４４ａを貫通するが、このネジ棒６ａを貫通した孔とネジ棒６ａとの間には、図９に示すように、シール材４８を塗布してこの部分を水密にする。
このようにして製造した外壁下地パネル４ａを備えた建物ユニット１ａを施工現場に運搬する。
【００５９】
施工現場では、予め設けられている基礎９ａの上に６個の外壁下地パネル４ａを備えた建物ユニット１ａを据え付け、この上に６個の外壁下地パネル４ａ付き建物ユニット１ａを据え付け、この上に屋根パネル２ａを取り付ける。
又、各ユニット建物１ａに取り付けられている外壁下地パネル４ａの透湿防水シート４４ａを連結して、建物ユニット１ａ間の隙間から室内に水が漏れないようにする。
又、建物ユニット１ａの複数のネジ棒６ａに、図８に示すように、受け台７ａを、ほぼ同一平面状になるように、螺入する。尚、この受け台７ａは透湿防水シート４４ａから透湿防水シート押さえ桟４５ａの高さより遠くにしておく。
【００６０】
次に、ネジ棒６ａを外壁支持桟５ａの通孔５１ａに通しながら、外壁支持桟５ａを受け台７ａに押し付け、このネジ棒６ａに座金７６ａを通し、この座金７６ａの上からナット７５ａを螺入して、外壁支持桟５ａをネジ棒６ａに固定する。
このようにして取り付けられた複数の外壁支持桟５ａの室外側面はほぼ同一平面状になっているが、糸等を張ってほぼ同一平面状になっているかどうかを確認する。
【００６１】
もし、複数の外壁支持桟５ａの室外側面が同一平面状になっていないことが判明した場合には、受け台７ａとナット７５ａを螺入出させて外壁下地パネル４ａから外壁支持桟５ａまでの距離を調整し、外壁支持桟５ａの室外側面をほぼ同一平面状にする。
このように、施工現場で、複数の外壁支持桟５ａの室外側面が同一平面状になってないことが判明したときには、外壁支持桟５ａは、螺入された受け台７ａとナット７５ａとに挟まれて取り付けられているので、このネジ棒６ａに螺入された受け台７ａとナット７５ａを螺入出させて、外壁下地パネル４ａからの距離を変更させ、この受け台７ａとナット７５ａで挟まれている外壁支持桟５ａの室外側面をほぼ同一平面状にして、外壁支持桟５ａを取り付けることができる。
【００６２】
次に、この外壁支持桟５ａに外壁材８ａを取り付ける。
このように、外壁材８ａを外壁支持桟５ａに取り付けると、この外壁材８ａや外壁支持桟５ａと外壁下地パネル４ａとの間に隙間が生じ、この隙間が空気層Ｓａとなる。
その他種々な仕上げを行うとユニット建物Ｕａが完成する。
【００６３】
このようにして完成したユニット建物Ｕａでは、工場で外壁下地パネル４ａを建物ユニット１ａの骨格に取り付けて外壁下地パネル４ａを備えた建物ユニット１ａを製造し、施工現場で、この外壁下地パネル４ａを備えた建物ユニット１ａを据え付けた後、この外壁下地パネル４ａから室外方向に若干離れた位置に外壁支持桟５ａを立設し、この外壁支持桟５ａに外壁材を取り付けるので、外壁下地パネル４ａとこの外壁下地パネル４ａから離れた位置にある外壁支持桟５ａや外壁材８ａとの間には空気層Ｓａが形成される。
【００６４】
しかも、外壁下地パネル４ａの厚みに差があるときに、複数の外壁下地パネル４ａの室内側面をほぼ同一平面状にして取り付ける結果、外壁下地パネル４ａの室外側面が凹凸状になっていても、この外壁下地パネル４ａと関係なく、外壁下地パネル４ａから室外方向に離れた位置に取り付けられる外壁支持桟５ａの室外側面をほぼ同一平面状にして、外壁支持桟５ａを取り付けることができる。即ち、外壁下地パネル４ａと外壁支持桟５ａや外壁材８ａとの間にある空気層Ｓａの厚みを加減することにより、外壁支持桟５ａの室外側面を同時にほぼ同一平面状にすることができる。
【００６５】
従って、外壁下地パネル４ａの室内側面に取り付ける内壁仕上げ材３ａと外壁支持桟５ａの室外側面に取り付ける外壁材６ａを同時にほぼ同一平面状にすることができ、美麗な建物となる。
又、透湿防水シート４４ａは複数の透湿防水シート支持桟４２ａと透湿防水シート押さえ桟４５ａに挟まれているので、断熱材４３ａの室外側に外れないよう取り付けられている。
【００６６】
従って、外壁材８ａの隙間を通して水滴等の水分が浸入しても、透湿防水シート４４ａに阻まれて室内側に浸入しないし、断熱材４３ａが濡れて断熱性能が低下しないし、室内に水分が入らない。
又、室内の湿気や外壁内の湿気は透湿防水シート４４ａを通って空気層Ｓａに入り、この空気層Ｓａを流れる空気と共に室外に出て行く。従って、この外壁構造を備えた建物１ａは、室内が湿らないし壁内に結露が発生しなく居住性がよい。
【００６７】
（実施例２）
図１１は本発明の別の実施例を示すもので、外壁下地パネルに外壁支持桟を取り付けているユニット建物を示す斜視図である。
【００６８】
図１１に示す実施例２を図４〜図１０に示す実施例１と比較すると、ユニット建物の構造はほぼ同じであるが、図１１に示すように、工場で、外壁支持桟５ｂを取り付けることが異なる。
【００６９】
即ち、工場で、建物ユニット１ｂの骨格を製造し、この建物ユニット１ｂの骨格に外壁下地パネル４ｂを取り付け、ネジ棒６ｂを床梁１２ｂと天井梁１３ｂの側面に立設し、この複数のネジ棒６ｂに、受け台７ｂを螺入し、このネジ棒６ｂを外壁支持桟５ｂの通孔５１ｂに通しながら、外壁支持桟５ｂを受け台７ｂに押し付け、このネジ棒６ｂに座金７６ｂを通し、この座金７６ｂの上からナット７５ｂを螺入して、外壁支持桟５ｂをネジ棒６ｂに固定し、その他種々な仕上げを行って、外壁下地パネル４ｂと外壁支持桟５ｂを備えた建物ユニット１ｂを完成させる。
【００７０】
このように、外壁支持桟５ｂは、施工現場で、外壁下地パネル４ｂからの距離を変更して外壁支持桟５ｂの室外側面をほぼ同一平面状に調整することができる。
このようにして製造した建物ユニット１ｂを施工現場に運搬し、施工現場では、６個の建物ユニット１ｂを予め設けてある基礎の上に据え付け、各建物ユニット１ｂの透湿防水シート４４ｂを連結した後、外壁支持桟５ｂを取り付けている受け台７ｂとナット７５ｂを螺入出して、各建物ユニット１ｂの外壁支持桟５ｂの室外側面をほぼ同一平面状にした後、この外壁支持桟５ｂに外壁材８ｂを取り付ける。
【００７１】
その他の構造および施工方法は実施例１とほぼ同じであるので、説明を省略する。このようにして完成したユニット建物では、外壁支持桟５ｂを工場で取り付けるので、実施例２と比較すると、外壁支持際５ｂを工場で取り付けるだけ、現場施工工数が減り、ユニット建物を速く施工できる。その他の作用は実施例１とほぼ同じであるので説明を省略する。
【００７２】
（実施例３）
図１２は本発明の更に別の実施例を示すもので、外壁下地パネルの一部を示す斜視図である。
【００７３】
この図１２に示す実施例３を図４〜１０に示す実施例１と比較すると外壁下地パネル４ｃの透湿防水シート支持桟４２ｃと透湿防水シート押さえ桟４５ｃが木製であることが異なる。このように透湿防水シート支持桟４２ｃと透湿防水シート押さえ桟４５ｃが木製であると、熱の伝導度が金属製より悪く、従って、室内の熱が逃げ難くなり、保温性のよい建物となる。その他の構造および施工方法、作用は実施例１とほぼ同じであるので説明を省略する。
【００７４】
（実施例４）
図１３は本発明の更に別の実施例を示すもので、透湿防水シート押さえ桟の一部を示す斜視図である。
【００７５】
この図１３に示す実施例４を図４〜図１０に示す実施例１と比較すると、透湿防水シート支持桟４２ｄの側面に複数の長孔４２１ｄが設けられていることが異なる。このように透湿防水シート支持桟４２ｄに長孔４２１ｄが設けられていると、熱の伝導面積が少なくなり、従って、室内の熱が逃げ難くなり、保温性のよい建物となる。その他の構造および施工方法、作用は実施例１とほぼ同じであるので説明を省略する。
【００８２】
【発明の効果】
請求項１記載の発明は、工場で外壁下地パネルを建物ユニットの骨格に取り付けて外壁下地パネルを備えた建物ユニットを製造し、施工現場で、この外壁下地パネルを備えた建物ユニットを据え付け、外壁下地パネルから室外方向に若干離れた位置に外壁支持桟を立設した後、この外壁支持桟の室外側面に外壁材を取り付けるから、外壁下地パネルの厚みが異なったり、建物ユニットの設置位置がずれたり、建物ユニットに取り付ける外壁下地パネルの据付位置に差があったりして、外壁下地パネルの室外側面がほぼ同一平面状になってなくとも、外壁下地パネルから室外方向に若干離れた位置に複数の外壁支持桟を、室外側面をほぼ同一平面状にして立設させることができる。その結果、外壁材や内壁仕上げ材・内壁材をほぼ同一平面状にすることができ、ユニット建物を美麗に施工できる。
【００８３】
請求項２記載の発明は、工場で外壁下地パネルを建物ユニットの骨格に取り付け、この外壁下地パネルから室外方向に若干離れた位置に外壁支持桟を、外壁下地パネルからの距離を変更可能に立設させて外壁下地パネルと外壁支持桟を備えた建物ユニットを製造し、施工現場で、この外壁下地パネルと外壁支持桟を備えた建物ユニットを据え付けた後、この外壁支持桟の室外側面に外壁材を取り付けるから、外壁支持桟を工場で取り付けただけ現場施工工数が少なくなり、速く施工できる。
【００８４】
又、複数の建物ユニットに取り付けられた外壁下地パネルの厚みが異なったり、建物ユニットの設置位置がずれたり、建物ユニットに取り付けられる外壁下地パネルの取付位置に差があったりして、それぞれの建物ユニットの外壁下地パネルの室外側面がほぼ同一平面状になってなくとも、外壁下地パネルからの距離を変更可能に取り付けられている外壁支持桟の外壁下地パネルからの距離を変更した後、外壁支持桟の室外側面をほぼ同一平面状にして外壁下地桟を立設させることができ、その結果、外壁材や内壁仕上げ材・内壁材をほぼ同一平面状にすることができる。
その結果、外壁材や内壁仕上げ材・内壁材をほぼ同一平面状にすることができ、ユニット建物を美麗に施工できる。
【図面の簡単な説明】
【図１】  本発明の参考例を示すもので、建物の外壁部分を垂直方向に切断した状態を示す断面図である。
【図２】  外壁下地パネルを示す一部切欠斜視図である。
【図３】  外壁支持桟に外壁材を取り付けた大型パネルの裏面を示す斜視図である。
【図４】  本発明をユニット建物に適用した実施例を示すもので、（イ）はユニット建物を示す斜視図、（ロ）は（イ）のＡ−Ａ線における断面図である。
【図５】  建物ユニットの骨格を示す斜視図である。
【図６】  （イ）は外壁下地パネルを示す斜視図、（ロ）は透湿防水シートを取り付けている状態の主要部を示す斜視図である。
【図７】  外壁下地パネル付きユニット建物を示す斜視図である。
【図８】  外壁下地パネルに外壁支持桟を取り付けている状態を示す斜視図である。
【図９】  外壁支持桟の取付構造を示す断面図である。
【図１０】  受け台を示す斜視図である。
【図１１】  本発明の別の実施例を示すもので、外壁下地パネルに外壁支持桟を取り付けているユニット建物を示す斜視図である。
【図１２】  本発明の更に別の実施例を示すもので、外壁下地パネルの一部を示す斜視図である。
【図１３】  本発明の更に別の実施例を示すもので、透湿防水シート押さえ桟の一部を示す斜視図である。
【図１４】  従来の建物の外壁構造の一例を示す断面図である。
【図１５】  従来の建物の外壁構造の他の一例を示す断面図である。
【符号の説明】
１  建物
１１  床梁
１４、１７  胴差
１ａ、１ｂ  建物ユニット
１１ａ、１１ｂ  柱
１２ａ、１２ｂ  床梁
１３ａ、１３ｂ  天井梁
３、３ａ  内壁仕上げ材または内壁材
４、４ａ、４ｂ、４ｃ  外壁下地パネル
４１、４１ａ  内装下地材
４２、４２ａ、４２ｃ、４２ｄ  透湿防水シート支持桟
４３、４３ａ  断熱材
４４、４４ａ、４４ｂ  透湿防水シート
４５、４５ａ、４５ｃ  透湿防水シート押さえ桟
５，５ａ、５ｂ  外壁支持桟
６ａ  ネジ棒
７ａ、７ｂ  受け台
７５ａ、７５ｂ  ナット
８、８ａ、８ｂ  外壁材
Ｓ  空気層
Ｕａ  ユニット建物
【図１】
0004434425.tif 000002
【図２】
0004434425.tif 000003
【図３】
0004434425.tif 000004
【図４】
0004434425.tif 000005
【図５】
0004434425.tif 000006
【図６】
0004434425.tif 000007
【図７】
0004434425.tif 000008
【図８】
0004434425.tif 000009
【図９】
0004434425.tif 000010
【図１０】
0004434425.tif 000011
【図１１】
0004434425.tif 000012
【図１２】
0004434425.tif 000013
【図１３】
0004434425.tif 000014
【図１４】
0004434425.tif 000015
【図１５】
0004434425.tif 000016